(57)【特許請求の範囲】
【請求項１】
外部読取装置が発信する電磁波を受信および送信するアンテナコイルを有して前記外部読取装置と非接触の通信が可能な非接触ＩＣカードに重ね合わせて使用する、前記外部読取装置と前記非接触ＩＣカードとの通信状態を調整するための非接触ＩＣカード通信調整板において、
前記電磁波を遮断ないし減衰させるシールドシートと、該シールドシートの片面または両面に積層された、前記電磁波を透過させる磁性シートと、を備え、
前記シールドシートは、前記非接触ＩＣカードの外寸とほぼ同寸同形に形成されたものであり、
前記磁性シートは、前記電磁波に対する応答性の低い非接触ＩＣカードのアンテナコイルに対しては該アンテナコイル全体に重なる一方、前記電磁波に対する応答性の高い非接触ＩＣカードのアンテナコイルに対しては該アンテナコイル全体のうち所定の割合が重ならない形状を有し、且つ一部分のみが前記シールドシートの周縁に至っていることを特徴とする非接触ＩＣカード通信調整板。
【請求項２】
前記磁性シートの形状は、２回回転対称であり、対称となる形状の一部分のみが前記シールドシートの周縁に至っていることを特徴とする請求項１に記載の非接触ＩＣカード通信調整板。
【請求項３】
前記非接触ＩＣカードは、前記応答性の低い非接触ＩＣカードのアンテナコイルの配線形状タイプが共通のものであり、前記応答性の高い非接触ＩＣカードのアンテナコイルの配線形状タイプが共通で且つ前記応答性の低い非接触ＩＣカードのアンテナコイルの配線形状タイプとは異なるものであることを特徴とする請求項１または２に記載の非接触ＩＣカード通信調整板。
【請求項４】
前記応答性の低い非接触ＩＣカードのアンテナコイルの配線形状タイプはアンチコリジョンタイプであり、前記応答性の高い非接触ＩＣカードのアンテナコイルの配線形状タイプは長方形タイプであり、
前記磁性シートは、前記シールドシートの長辺に沿って延びる長辺部と、該長辺部の一端から延びる短辺部とを有し、
前記長辺部は、前記短辺部が延びる一端とは異なる他端のみが前記シールドシートの短辺に至り、
前記短辺部側は、前記長辺部から延びる一端とは異なる他端のみが前記シールドシートの短辺に至り、
前記シールドシートを前記非接触ＩＣカードに重ね合わせた使用状態において、前記アンチコリジョンタイプのアンテナコイルは、全体が前記磁性シートに重なり、長方形タイプのアンテナコイルは、前記磁性シートと重ならない部分が前記磁性シートの短辺部の外側にあることを特徴とする請求項３に記載の非接触ＩＣカード通信調整板。
【請求項５】
電磁波を利用して外部読取装置と非接触で通信することができる非接触ＩＣカードを、収納したままで使用する非接触ＩＣカード収納具において、
前記非接触ＩＣカードを収納するＩＣカード収納部内に、前記外部読取装置と前記非接触ＩＣカードとの通信状態を調整するための請求項１から４の何れか一項に記載の非接触ＩＣカード通信調整板を備え、
前記非接触ＩＣカード通信調整板は、前記ＩＣカード収納部に収納した前記非接触ＩＣカードと重なり合うように取り付けたことを特徴とする非接触ＩＣカード収納具。
【発明の詳細な説明】
【技術分野】
【０００１】
本発明は、外部読取装置（カードリーダー）が発信する電磁波を用いて外部読取装置との通信をすることができる非接触ＩＣカードに重ね合わせて使用するものであり、外部読取装置と非接触ＩＣカードとの通信状態を調整する非接触ＩＣカード通信調整板に関する。
【背景技術】
【０００２】
従来から外部読取装置（カードリーダー）が発信する電磁波を利用して外部読取装置と非接触で通信することができる非接触ＩＣカードは、ＩＣ乗車券、セキュリティーカード等として利用されているが、その利用分野はさらに広がっている。また、ＩＣカードの多機能化が進み、接触型ＩＣチップと非接触型ＩＣチップとを同一カードに搭載した複合型のＩＣカード（複合型の非接触ＩＣカード）が多くなってきている。
【０００３】
このような非接触ＩＣカードは、利用分野が広がるとともに普及も進んでおり、何らかの非接触ＩＣカードを使用している使用者の数も増大し続けている。さらに、複数枚の非接触ＩＣカードを利用している使用者も多い。
【０００４】
このため、複数枚の非接触ＩＣカードを使用する場合の利便性を向上させるものとして、一枚の非接触ＩＣカード通信調整板の両面それぞれに１枚の非接触ＩＣカードを重ね合わせた状態で、外部読取装置による良好な読取りが可能で且つ裏読みを防止できるようにした非接触ＩＣカード通信調整板が開発されている。このような非接触ＩＣカード通信調整板として、例えば特許文献１で本願の出願人が提案した非接触ＩＣカード通信調整板がある。
【０００５】
すなわち、非接触ＩＣカード通信調整板のシールドシートの片面または両面に積層した２枚一組の磁性シートを有し、該磁性シートの位置をシールドシート上で変更可能としたものである。これにより、外部読取装置や複合型の非接触ＩＣカードの仕様の如何にかかわらず、読取エラーの発生が極めて少ない非接触ＩＣカード通信調整板を提供することができる。
【先行技術文献】
【特許文献】
【０００６】
【特許文献１】特開２０１２−２４３２９０号公報
【発明の概要】
【発明が解決しようとする課題】
【０００７】
しかしながら、特許文献１に記載された技術では、シールドシートの片面ずつに２枚の磁性シートが必要である。さらに、２枚の磁性シートの位置を変更可能とするための突起部、ガイド溝、固定穴等の独自の構成が必要であることから、製造コストの上昇が避けられないという問題点がある。
【０００８】
また、上記のように複数枚の非接触ＩＣカードを所有している使用者も多く、複数枚を持ち歩いたときに嵩張らないように、非接触ＩＣカード通信調整板を非接触ＩＣカードと略同じ大きさまで小型にして欲しいという要望がある。しかしながら、非接触ＩＣカード通信調整板を非接触ＩＣカードと同じ大きさに近づけて行くと、裏読みが起こり易くなってしまうという問題点が発生する。
【０００９】
ところで、上記のような、複合型のＩＣカードでは、非接触ＩＣカードとしての部品であるアンテナコイルの形状、配置、大きさ等が複合型ではない非接触ＩＣカードに比べると限定される。本願発明者は、特に複合型の非接触ＩＣカードでなくても、現時点では外部読取装置からの電磁波に対して応答性の高い非接触ＩＣカードの何れもがそのアンテナコイルの配線形状は長方形であり、寸法もほとんど同一であること、および応答性の低い非接触ＩＣカードの何れもがそのアンテナコイルの配線形状はいわゆる木の葉型のアンチコリジョンタイプであり、その形状および寸法はほとんど同一であることを見出した。
【００１０】
そこで、本願出願人は、このようにアンテナコイルの形状および寸法が限定されていることに着目して、使用者の上記要望を満たすと同時に上記問題点の解決を図ることができる非接触ＩＣカード通信調整板について研究開発を行った。
【００１１】
本発明は、非接触ＩＣカード通信調整板を非接触ＩＣカードと略同じ大きさにし、且つ、応答性の高い非接触ＩＣカードおよび応答性の低い非接触ＩＣカードを如何なる組合せで使用しても、外部読取装置による良好な読み取りが可能であるとともに裏読みの発生を良好に防止することができる非接触ＩＣカード通信調整板を提供することを目的としている。
【課題を解決するための手段】
【００１２】
かかる目的を達成するための本発明の要旨とするところは、次の各項の発明に存する。
［１］  外部読取装置（４０）が発信する電磁波を受信および送信するアンテナコイル（３３Ａ，３３Ｂ）を有して前記外部読取装置（４０）と非接触の通信が可能な非接触ＩＣカード（３０，３０Ａ，３０Ｂ）に重ね合わせて使用する、前記外部読取装置（４０）と前記非接触ＩＣカード（３０，３０Ａ，３０Ｂ）との通信状態を調整するための非接触ＩＣカード通信調整板（１）において、
前記電磁波を遮断ないし減衰させるシールドシート（１０）と、該シールドシート（１０）の片面または両面に積層された、前記電磁波を透過させる磁性シート（２０）と、を備え、
前記シールドシート（１０）は、前記非接触ＩＣカード（３０，３０Ａ，３０Ｂ）の外寸とほぼ同寸同形に形成されたものであり、
前記磁性シート（２０）は、前記電磁波に対する応答性の低い非接触ＩＣカード（３０Ｂ）のアンテナコイル（３３Ｂ）に対しては該アンテナコイル（３３Ｂ）全体に重なる一方、前記電磁波に対する応答性の高い非接触ＩＣカード（３０Ａ）のアンテナコイル（３３Ａ）に対しては該アンテナコイル（３３Ａ）全体のうち所定の割合が重ならない形状を有し、且つ一部分のみが前記シールドシート（１０）の周縁に至っていることを特徴とする非接触ＩＣカード通信調整板（１）。
【００１３】
［２］  前記磁性シート（２０）の形状は、２回回転対称であり、対称となる形状の一部分のみが前記シールドシート（１０）の周縁に至っていることを特徴とする項［１］に記載の非接触ＩＣカード通信調整板（１）。
【００１４】
［３］  前記非接触ＩＣカード（３０，３０Ａ，３０Ｂ）は、前記応答性の低い非接触ＩＣカード（３０Ｂ）のアンテナコイル（３３Ｂ）の配線形状タイプが共通のものであり、前記応答性の高い非接触ＩＣカード（３０Ａ）のアンテナコイル（３３Ａ）の配線形状タイプが共通で且つ前記応答性の低い非接触ＩＣカード（３０Ｂ）のアンテナコイル（３３Ｂ）の配線形状タイプとは異なるものであることを特徴とする項［１］または［２］に記載の非接触ＩＣカード通信調整板（１）。
【００１５】
［４］  前記応答性の低い非接触ＩＣカード（３０Ｂ）のアンテナコイル（３３Ｂ）の配線形状タイプはアンチコリジョンタイプであり、前記応答性の高い非接触ＩＣカード（３０Ａ）のアンテナコイル（３３Ａ）の配線形状タイプは長方形タイプであり、
前記磁性シート（２０）は、前記シールドシート（１０）の長辺（１１）に沿って延びる長辺部（２１）と、該長辺部（２１）の一端から延びる短辺部（２２）とを有し、
前記長辺部（２１）は、前記短辺部（２２）が延びる一端とは異なる他端のみが前記シールドシート（１０）の短辺（１２）に至り、
前記短辺部（２２）側は、前記長辺部（２１）から延びる一端とは異なる他端のみが前記シールドシート（１０）の短辺（１２）に至り、
前記シールドシート（１０）を前記非接触ＩＣカード（３０Ａ，３０Ｂ）に重ね合わせた使用状態において、前記アンチコリジョンタイプのアンテナコイル（３３Ｂ）は、全体が前記磁性シート（２０）に重なり、長方形タイプのアンテナコイル（３３Ａ）は、前記磁性シート（２０）と重ならない部分が前記磁性シート（２０）の短辺部（２２）の外側にあることを特徴とする請求項［３］に記載の非接触ＩＣカード通信調整板（１）。
【００１６】
［５］  電磁波を利用して外部読取装置（４０）と非接触で通信することができる非接触ＩＣカード（３０，３０Ａ，３０Ｂ）を、収納したままで使用する非接触ＩＣカード収納具（５０）において、
前記非接触ＩＣカード（３０，３０Ａ，３０Ｂ）を収納するＩＣカード収納部（５１）内に、前記外部読取装置（４０）と前記非接触ＩＣカード（３０，３０Ａ，３０Ｂ）との通信状態を調整するための項［１］から［４］の何れか一項に記載の非接触ＩＣカード通信調整板（１）を備え、
前記非接触ＩＣカード通信調整板（１）は、前記ＩＣカード収納部（５１）に収納した前記非接触ＩＣカード（３０，３０Ａ，３０Ｂ）と重なり合うように取り付けたことを特徴とする非接触ＩＣカード収納具（５０）。
【００１７】
前記本発明は次のように作用する。  
本発明に係る非接触ＩＣカード通信調整板（１）によれば、シールドシート（１０）は、透過しようとする電磁波を遮断ないし減衰することができる導電性のシートである。また、磁性シート（２０）は、電磁波を空気層よりも高密度に透過させることができるものである。
【００１８】
したがって、非接触ＩＣカード（３０，３０Ａ，３０Ｂ）の表裏両面のうち外部読取装置（４０）に面する側に非接触ＩＣカード通信調整板（１）が重ね合わされているような状態にあるときは、非接触ＩＣカード通信調整板（１）側の面が磁性シート（２０）を備える面であるか否かにかかわらず、シールドシート（１０）が外部読取装置（４０）からの電磁波を遮断ないし減衰して、非接触ＩＣカード（３０，３０Ａ，３０Ｂ）と外部読取装置（４０）との通信を防止することができる。
【００１９】
逆に、外部読取装置（４０）に面する側とは反対側で非接触ＩＣカード通信調整板（１）が非接触ＩＣカード（３０，３０Ａ，３０Ｂ）に重ね合わさった状態である場合、すなわち、非接触ＩＣカード（３０，３０Ａ，３０Ｂ）が外部読取装置（４０）に面するような状態である場合は、その重ね合わさった非接触ＩＣカード通信調整板（１）側の面が磁性シート（２０）を備えない面であるときは、外部読取装置（４０）からの電磁波は、非接触ＩＣカード（３０，３０Ａ，３０Ｂ）を透過した後、シールドシート（１０）によって減衰してしまうので、この場合にも外部読取装置（４０）との通信が防止される。
【００２０】
これに対して、非接触ＩＣカード通信調整板（１）に重ね合わさった非接触ＩＣカード（３０，３０Ａ，３０Ｂ）が外部読取装置（４０）に面するような状態の場合に、重ね合わさった非接触ＩＣカード通信調整板（１）側の面が磁性シート（２０）を備える面であるときは、外部読取装置（４０）からの電磁波は、非接触ＩＣカード通信調整板（１）に遮られずに直接に非接触ＩＣカード（３０，３０Ａ，３０Ｂ）に至る。
【００２１】
そして、アンテナコイル（３３Ａ，３３Ｂ）が電磁波を受信すると、磁気誘導により非接触ＩＣカード（３０，３０Ａ，３０Ｂ）内に電流が供給され、これにより、非接触ＩＣカード（３０，３０Ａ，３０Ｂ）が動作して電磁波を発信する。このようにして、非接触ＩＣカード通信調整板（１）は、非接触ＩＣカード（３０，３０Ａ，３０Ｂ）と外部読取装置（４０）との通信を可能にしたり、防止したりすることができる。
【００２２】
項［１］および［２］に係る非接触ＩＣカード通信調整板（１）によれば、非接触ＩＣカード通信調整板（１）を構成するシールドシート（１０）が非接触ＩＣカード（３０，３０Ａ，３０Ｂ）の外寸とほぼ同寸同形に形成されているので、重ね合わせた使用状態において、厚みは非接触ＩＣカード通信調整板（１）の分だけ厚くなるが、全体が非接触ＩＣカード（３０，３０Ａ，３０Ｂ）よりも嵩張ってしまうことがない。
【００２３】
しかも、磁性シート（２０）は、電磁波に対する応答性の低い非接触ＩＣカード（３０Ｂ）のアンテナコイル（３３Ｂ）については該アンテナコイル（３３Ｂ）全体に重なり、且つ電磁波に対する応答性の高い非接触ＩＣカード（３０Ａ）のアンテナコイル（３３Ａ）については該アンテナコイル（３３Ａ）全体のうち所定の割合が重ならない形状に形成されており、磁性シート（２０）の一部分のみがシールドシート（１０）の周縁に至っている大きさとなっている。
【００２４】
これにより、非接触ＩＣカード通信調整板（１）を間にして挟むように２枚の非接触ＩＣカード（３０，３０Ａ，３０Ｂ）を重ねた使用状態において、非接触ＩＣカード（３０，３０Ａ，３０Ｂ）が２枚とも応答性の低い非接触ＩＣカード（３０Ｂ）であっても、また、２枚とも応答性の高い非接触ＩＣカード（３０Ａ）であっても、さらには２枚の非接触ＩＣカード（３０Ａ，３０Ｂ）が応答性の低いものと応答性の高いものとであっても、外部読取装置（４０）に面するように向けられた非接触ＩＣカード（３０，３０Ａ，３０Ｂ）については良好な読み取りをすることができ、外部読取装置（４０）に対して非接触ＩＣカード通信調整板（１）の反対側に重ねられた非接触ＩＣカード（３０，３０Ａ，３０Ｂ）については裏読みによる読取りエラーの発生を防止することができる。
【００２５】
項［３］に係る非接触ＩＣカード通信調整板（１）によれば、使用される非接触ＩＣカード（３０，３０Ａ，３０Ｂ）が応答性の低い非接触ＩＣカード（３０Ｂ）のアンテナコイル（３３Ｂ）の配線形状タイプは共通のものであり、応答性の高い非接触ＩＣカード（３０Ａ）のアンテナコイル（３３Ａ）の配線形状タイプは共通で且つ応答性の低い非接触ＩＣカード（３０Ｂ）のアンテナコイル（３３Ｂ）の配線形状タイプとは異なるものであるので、磁性シート（２０）の形状を容易に定めることができる。
【００２６】
項［４］に係る非接触ＩＣカード通信調整板（１）によれば、応答性の低い非接触ＩＣカード（３０Ｂ）のアンテナコイル（３３Ｂ）の配線形状タイプがアンチコリジョンタイプであり、応答性の高い非接触ＩＣカード（３０Ａ）のアンテナコイル（３３Ａ）の配線形状タイプが長方形タイプであるものに対して、磁性シート（２０）をシールドシート（１０）の長辺（１１）に沿って延びる長辺部（２１）と、該長辺部（２１）の一端から延びる短辺部（２２）とを有し、長辺部（２１）は、短辺部（２２）が延びる一端とは異なる他端のみがシールドシート（１０）の短辺（１２）に至り、短辺部（２２）側は、長辺部（２１）から延びる一端とは異なる他端のみがシールドシート（１０）の短辺（１２）に至るような形状としてある。
【００２７】
これにより、シールドシート（１０）を非接触ＩＣカード（３０Ａ，３０Ｂ）に重ね合わせた使用状態において、アンチコリジョンタイプのアンテナコイル（３３Ｂ）は全体が磁性シート（２０）に重なっており、応答性の低い非接触ＩＣカード（３０Ｂ）でも良好な読み取りが可能であり、一方、長方形タイプのアンテナコイル（３３Ａ）は磁性シート（２０）の短辺部（２２）の外側に位置する部分が磁性シート（２０）に重ならないので、応答性の高い非接触ＩＣカード（３０Ａ）でも裏読みによる読取りエラーが発生することを防止できる。
【００２８】
項［５］に係る非接触ＩＣカード収納具（５０）は、備えている非接触ＩＣカード通信調整板（１）が非接触ＩＣカード（３０，３０Ａ，３０Ｂ）と略同一形状であるので、複数枚の非接触ＩＣカード（３０，３０Ａ，３０Ｂ）を非接触ＩＣカード通信調整板（１）に重ねた使用状態にして、非接触ＩＣカード（３０，３０Ａ，３０Ｂ）に近い大きさで持ち歩き、使用することができる。
【発明の効果】
【００２９】
本発明の非接触ＩＣカード通信調整板によれば、シールドシートを非接触ＩＣカードの外寸とほぼ同寸同形に形成し、磁性シートの形状を応答性の低い非接触ＩＣカードのアンテナコイルについてはその配線の全てが重なり、且つ応答性の高い非接触ＩＣカードのアンテナコイルについては、アンテナコイル全体のうち所定の割合が重ならない形状にしてあるので、非接触ＩＣカードを非接触ＩＣカード通信調整板に重ねた使用状態にしても、全体が嵩張ることがなくて使い勝手が向上する。また、応答性の低い非接触ＩＣカードと応答性の高い非接触ＩＣカードとをどのような組合せの使用状態にしても、裏読み等による読取りエラーのない良好な読取り性能を得ることができる。
【図面の簡単な説明】
【００３０】
【図１】本発明の実施の形態に係る非接触ＩＣカード通信調整板を示す平面図である。
【図２】図１の非接触ＩＣカード通信調整板を長辺側から見た側面図である。
【図３】本発明の実施の形態に係る非接触ＩＣカード通信調整板の作用を説明する図である。
【図４】図１の非接触ＩＣカード通信調整板に応答性の高い非接触ＩＣカードを重ねた使用状態での非接触ＩＣカードのアンテナコイルと非接触ＩＣカード通信調整板の磁性シートとの関係を示す模式図である。
【図５】図１の非接触ＩＣカード通信調整板に応答性の低い非接触ＩＣカードを重ねた使用状態での非接触ＩＣカードのアンテナコイルと非接触ＩＣカード通信調整板の磁性シートとの関係を示す模式図である。
【図６】非接触ＩＣカードを外部読取装置にかざして使用するときの様子を説明する模式図である。
【図７】図１の非接触ＩＣカード通信調整板とは磁性シートの形状が異なる変形例の平面図である。
【図８】本発明の実施の形態に係る非接触ＩＣカードを収納する非接触ＩＣカード収納具を示す斜視図である。
【発明を実施するための形態】
【００３１】
以下、図面に基づき本発明の好適な実施の形態を説明する。  
図１から図６は、本発明の実施の形態を示している。  
図１は、本発明の実施の形態に係る非接触ＩＣカード通信調整板を示す平面図であり、図２は、図１の非接触ＩＣカード通信調整板を長辺側から見た側面図である。図３は、本発明の実施の形態に係る非接触ＩＣカード通信調整板の作用を説明する図である。  
【００３２】
また、図４は、図１の非接触ＩＣカード通信調整板に応答性の高い非接触ＩＣカードを重ねた使用状態での非接触ＩＣカードのアンテナコイルと非接触ＩＣカード通信調整板の磁性シートとの位置関係を示す説明図であり、図５は、図１の非接触ＩＣカード通信調整板に応答性の低い非接触ＩＣカードを重ねた使用状態での非接触ＩＣカードのアンテナコイルと非接触ＩＣカード通信調整板の磁性シートとの位置関係を示す説明図である。図６は、非接触ＩＣカードを外部読取装置にかざして使用するときの様子を説明する模式図である。
【００３３】
図４および図５に示すように、非接触ＩＣカード３０Ａ，３０Ｂには、内蔵するアンテナコイル３３Ａ，３３Ｂの配線形状タイプが長方形タイプのもの（図４）と、いわゆる木の葉型のアンチコリジョンタイプのもの（図５）とがある。現時点において、アンテナコイル３３Ａ，３３Ｂの配線形状タイプが長方形タイプのものは、電磁波に対する反応が強い非接触ＩＣカード３０Ａに採用されており、アンチコリジョンタイプのものは電磁波に対する反応が弱い非接触ＩＣカード３０Ｂに採用されている。なお、図４および図５には、非接触ＩＣカード３０Ａおよび非接触ＩＣカード３０Ｂを後述する非接触ＩＣカード通信調整板１に重ねた使用状態における、非接触ＩＣカード通信調整板１に積層されている磁性シート２０の位置を隠れ線で示してある。
【００３４】
非接触ＩＣカード通信調整板１を使用する非接触ＩＣカード３０Ａ，３０Ｂは、カード型の本体３１にＩＣチップ３２と該ＩＣチップ３２に接続されたアンテナコイル３３Ａ，３３Ｂとが埋設されたものであり、電磁波を利用して無線で非接触に外部読取装置４０との間でデータやプログラムの読み書きを行うものである。ＩＣチップ３２は、アンテナコイル３３Ａ，３３Ｂに囲まれた内側の領域に配置されている。外部読取装置４０はカードリーダ・ライタ等である。
【００３５】
図６に示したように、外部読取装置４０側から非接触ＩＣカード３０に誘導電磁波を照射すると、非接触ＩＣカード３０側ではアンテナコイル３３Ａ，３３Ｂが誘導電磁波を受信して、アンテナコイル３３Ａ，３３Ｂに誘導起電力が生じる。この誘導起電力が非接触ＩＣカード３０Ａ，３０Ｂの駆動電力となるとともに誘導電磁波に重畳された電磁波によりＩＣチップ３２に記憶されたデータが外部読取装置４０によって読み取られる。
【００３６】
このような非接触ＩＣカード３０Ａ，３０Ｂに重ね合わせて使用する非接触ＩＣカード通信調整板１は、外部読取装置４０と非接触ＩＣカード３０Ａ，３０Ｂとの間での通信を防止するために、非接触ＩＣカード３０Ａ，３０Ｂと外部読取装置４０との間の電磁波を遮断ないし減衰させる作用を発揮することができるようにしたものである。
【００３７】
図１から図５までに示すように、非接触ＩＣカード通信調整板１は、電磁波を遮断ないし減衰させるためのシールドシート１０に電磁波が透過する磁性シート２０を積層したものである。この非接触ＩＣカード通信調整板１は、上記したように外部読取装置４０と非接触ＩＣカード３０との間で行われる非接触の通信状態を調整するために使用するものである。
【００３８】
本実施の形態における非接触ＩＣカード通信調整板１は、そのシールドシート１０が非接触ＩＣカード３０Ａ，３０Ｂのカード型の本体３１の外寸と略同寸同形に形成されている。したがって、非接触ＩＣカード通信調整板１は、非接触ＩＣカード３０Ａ，３０Ｂと重ね合わせたときに非接触ＩＣカード３０Ａ，３０Ｂに内蔵されるアンテナコイル３３Ａ，３３Ｂより大きいので、非接触ＩＣカード通信調整板１を非接触ＩＣカード３０Ａ，３０Ｂに重ね合わせたときに、非接触ＩＣカード通信調整板１の周縁からの電磁波の回り込みを減少させて、外部読取装置４０と非接触ＩＣカード３０との間の電磁波を確実に遮断ないし減衰させるようにすることができる。
【００３９】
非接触ＩＣカード３０のアンテナコイル３３Ａ，３３Ｂは、送信と受信を兼用するものであるが、これには限定されず、送信用アンテナコイルと受信用アンテナコイルとを別個に備えていてもよい。送信用と受信用とに別個のアンテナコイルを備えている場合には、いずれか一方のアンテナコイルをシールドシート１０により遮蔽することができれば、非接触ＩＣカード３０と外部読取装置４０との通信を防止することができる。
【００４０】
このシールドシート１０は、導電性を有することによって電磁シールド効果が得られる素材を用いて形成されている。金属であれば、例えば、金、銀、白金、銅、アルミニウム、鉄、ニッケル等である。また、金属以外の物質としては、例えば導電性セラミックなどを用いることができる。これら金属等は、板状に形成したものが使用される。
【００４１】
シールドシート１０は、所定の媒体から成る基体（Ｂａｓｅ）にメッシュ状、ラティス状、箔状、あるいは板状等に形成した金属等を貼付等して設けたものであってもよい。基体の素材としては、例えば、シート状のプラスチック、布、紙等を使用することができる。
【００４２】
また、シールドシート１０は、平板状に形成した基体に粉状の金属等を塗布したものであってもよい。また、粉状のプラスチックに金属粉を含有させ、これを層状に成形したものであってもよい。さらに、層状の基体に金属等を貼付したり、縫い込んだりしてシールドシート１０を構成するようにしてもよい。
【００４３】
基体に使用するプラスチックは、例えば、ポリエチレン（ＰＥ）やポリプロピレン（ＰＰ）やポリエチレンテレフタレート（ＰＥＴ）その他の任意の樹脂材料を用いることができる。これら樹脂材料を基体とする場合、シールドシート１０は、基体中に導電性パウダーが混入されたプラスチックフィルム状に形成されたものや表面に金属薄膜が蒸着されたプラスチックフィルム状に形成されたもの、表面に金属箔が貼り付けられたプラスチックフィルム状に形成されたものや表面に導電性樹脂が塗布されたプラスチックフィルム状に形成されたもの、他にも内部に金属線又は金属製の網が埋め込まれたプラスチックフィルム状に形成されたもの等にすることができる。  
以上のようにして形成したシールドシート１０は、透過しようとする電磁波を遮蔽することができる。
【００４４】
このシールドシート１０に積層する磁性シート２０は、非接触により外部読取装置４０と通信する非接触ＩＣカード３０が当該外部読取装置４０と通信するのを誘導する役割を果たすものであり、シールドシート１０との組み合わせにより、非接触ＩＣカード３０の通信状態を好適に調整するものである。
【００４５】
図１に示すように、本実施の形態の非接触ＩＣカード通信調整板１は、シールドシート１０に積層される磁性シートとして独自の形状を有する大片の磁性シート２０がシールドシート１０に積層されている。図１においては、シールドシート１０の片面だけに磁性シート２０が積層されているように示したが、両面に積層してもよい。
【００４６】
磁性シート２０を片面だけに積層したものでは、その片面を使用する場合にのみ非接触ＩＣカード通信調整板１としての機能が発揮されるが、磁性シート２０を両面に積層したものでは、非接触ＩＣカード通信調整板１の両側に１枚ずつ非接触ＩＣカード３０を重ねてそれぞれの非接触ＩＣカード３０を使用することができる。
【００４７】
磁性シート２０は、透磁率μに優れた材料が使用される。例えば、使用する電磁波の周波数において、比透磁率は１００以上のものが好ましく、より好ましくは１０００以上のものである。具体的には、パーマロイ、フェライト、センダスト、方向性ケイ素鋼等を使用することができる。これにより、磁性シート２０は、電磁波を空気層よりも高密度に透過させることができる。
【００４８】
シールドシート１０の両面に積層する磁性シート２０，２０は、同一の形状のものである。磁性シート２０は、電磁波に対する応答性の高い非接触ＩＣカード３０Ａのアンテナコイル３３Ａについては該アンテナコイル３３Ａ全体のうち所定の割合とは重ならず、且つ電磁波に対する応答性の低い非接触ＩＣカード３０Ｂのアンテナコイル３３Ｂについては該アンテナコイル３３Ｂ全体に重なる形状を有しており、また、一部分のみがシールドシート１０の周縁に至っている。このシールドシート１０の周縁に至っている一部分の長さは、応答性の高い非接触ＩＣカード３０Ａに対しても裏読みすることがない程度であり、例えば３ｍｍ程度である。また、所定の割合とは、例えば７０〜８０％である。なお、これらの数値は、シールドシート１０や磁性シート２０の特性により異なるものであるので、単なる例示である。
【００４９】
図１に例示したものは、全体形状が平行四辺形に似ている２回回転対称の形状のものである。磁性シート２０は、シールドシート１０の長辺１１に沿って延びる長辺部２１と、該長辺部２１の一端から延びる短辺部２２とを有している。
【００５０】
長辺部２１は、短辺部２２が延びる一端とは異なる他端のみがシールドシート１０の短辺１２に至っている。一方、短辺部２２側は、長辺部２１から延びる一端とは異なる他端のみがシールドシート１０の短辺１２に至っている。短辺部２２側は、長辺部２１から延びる一端から磁性シート２０の長辺部２１がシールドシート１０の短辺１２に至っている位置に近づく方向に向かって延びている。
【００５１】
図４に示したように、磁性シート２０は、非接触ＩＣカード通信調整板１を非接触ＩＣカード３０Ａに重ね合わせた使用状態において、長方形タイプのアンテナコイル３３Ａに対しては、アンテナコイル３３Ａの一部分が磁性シート２０の短辺部２２の外側に位置する形状を有している。すなわち、長方形タイプのアンテナコイル３３Ａに対しては、その一部と重ならない形状になっている。これにより、電磁波に対して反応が強い非接触ＩＣカード３０Ａの反応度合いを緩和させて、適切な応答性能にすることができる。
【００５２】
一方、図５に示したように、上記の磁性シート２０の形状は、非接触ＩＣカード通信調整板１を非接触ＩＣカード３０Ｂに重ね合わせた使用状態において、木の葉型のアンチコリジョンタイプのアンテナコイル３３Ｂに対しては、アンテナコイル３３Ｂの全てと重なる形状を有している。これにより、電磁波に対する反応が弱い非接触ＩＣカード３０Ｂに対しては、非接触ＩＣカード３０Ｂの有する最大限の応答性能を発揮させることができる。
【００５３】
このように、磁性シート２０は、応答性の高い非接触ＩＣカード３０Ａに対しては反応の度合いを緩和させて応答性能を適切にするとともに応答性の低い非接触ＩＣカード３０Ｂに対しては非接触ＩＣカード３０Ｂの応答性能を限界まで発揮させることができる。これにより、磁性シート２０を両面に有する非接触ＩＣカード通信調整板１を使用することによって、非接触ＩＣカード通信調整板１の両側に１枚ずつ非接触ＩＣカード３０を重ねた状態で使用する際に、非接触ＩＣカード３０Ａを２枚の組合せであっても、非接触ＩＣカード３０Ｂを２枚の組合せであっても、非接触ＩＣカード３０Ａと非接触ＩＣカード３０Ｂとを１枚ずつの組合せの場合であっても何れにおいても読込みエラーの発生を極めて少なくすることができる。
【００５４】
次に本実施の形態に係る非接触ＩＣカード通信調整板１の作用を説明する。  
図３は、本実施の形態に係る非接触ＩＣカード通信調整板１の両面に磁性シート２０を設けたものに非接触ＩＣカード３０を重ね合わせた使用状態での非接触ＩＣカード通信調整板１の作用を説明する図である。図示した使用状態では、非接触ＩＣカード通信調整板１のシールドシート１０に磁性シート２０が積層された両面それぞれに非接触ＩＣカード３０，３０が重ね合わせられている。
【００５５】
図３において、矢印は、非接触ＩＣカード３０，３０の情報を読み取るための電磁波（信号）を示している。また、「○」印は、通信が正常に行われることを示し、「×」印は、通信が正常に行われないことを示す。
【００５６】
図３においてシールドシート１０の左側から非接触ＩＣカード３０に向かう電磁波は、非接触ＩＣカード３０の裏面側に配置されている磁性シート２０によってシールドシート１０の影響が軽減される。これにより、非接触ＩＣカード３０は、外部からの電磁波を問題なく受信することができ、また、非接触ＩＣカード３０から電磁波を発信することができる。
【００５７】
これは、高透磁率である磁性シート２０中には磁界が集中しやすいため、非接触ＩＣカード３０も磁界の中に置かれることによるものである。このため、非接触ＩＣカード３０は、外部からの電磁波を受信し、また、電磁波を発信することができる。したがって、シールドシート１０の左側から非接触ＩＣカード３０に向かう方向に外部読取装置４０が電磁波を発信したときには、非接触ＩＣカード３０と外部読取装置４０との間で通信をすることができる。
【００５８】
なお、「×」印のついた矢印は、磁性シート２０の短辺部２２の外側、すなわち磁性シート２０が重ならない部分における電磁波の作用を示している。この部分は、重ねた非接触ＩＣカード３０が応答性の高い非接触ＩＣカード３０Ａである場合には、そのアンテナコイル３３Ａが磁性シート２０に重ならない部分である。
【００５９】
この部分に向かう左側からの電磁波は、非接触ＩＣカード通信調整板１のシールドシート１０によって遮蔽されるので、シールドシート１０の右側に重ね合わせられた非接触ＩＣカード３０に到達することはない。このため、右側の非接触ＩＣカード３０が非接触ＩＣカード通信調整板１を挟んで反対側から来る電磁波を受信してしまうことはなく、外部読取装置４０と非接触ＩＣカード３０との間の不所望の通信を防止することができる。
【００６０】
このような作用は、シールドシート１０の右側から非接触ＩＣカード３０に向かう電磁波についても全く同様のことが言える。
【００６１】
一般に、導体（シールドシート１０）の内部には電磁波が存在せず、また、空気と導体との境界面でも境界条件より電磁波が充分に存在しない性質を有する。このため、例えば図３に示すように右側の非接触ＩＣカード３０を読み取るための電磁波が右側から発信されても、右側の非接触ＩＣカード３０の裏面に配置されるシールドシート１０のために電磁波が減衰してしまう。これにより、右側の非接触ＩＣカード３０は、自身に対して電磁波を発信した外部読取装置４０と通信することができない。
【００６２】
また、左側の非接触ＩＣカード３０に対してシールドシート１０の右側から進行して来る電磁波は、左側の非接触ＩＣカード３０に対してシールドシート１０の左側から進行して来る電磁波がシールドシート１０に遮断されてしまうのと同様にシールドシート１０によって遮断されるので、左側の非接触ＩＣカード３０に到達することがない。このため、左側の非接触ＩＣカード３０による電磁波の受信は行われず、シールドシート１０の右側にある外部読取装置４０と左側の非接触ＩＣカード３０との通信は妨げられる。
【００６３】
本実施の形態に係る非接触ＩＣカード通信調整板１によれば、非接触ＩＣカード通信調整板１を構成するシールドシート１０が非接触ＩＣカード３０の外寸とほぼ同寸同形に形成されているので、シールドシート１０と非接触ＩＣカード３０とを重ね合わせた使用状態において、厚みは非接触ＩＣカード通信調整板１の分だけ厚くなるが、全体が非接触ＩＣカード３０よりも嵩張ってしまうことがない。
【００６４】
また、磁性シート２０は、電磁波に対する応答性の高い非接触ＩＣカード３０Ａに対しては、そのアンテナコイル３３Ａ全体には重ならず、アンテナコイル３３Ａの一部とは重ならない形状であるので、この一部の重ならない部分では、アンテナコイル３３Ａは外部読取装置４０との通信をすることができない。すなわち、電磁波に対する非接触ＩＣカード３０Ａの反応度合いがその分低下する。
【００６５】
これにより、非接触ＩＣカード３０Ａが外部読取装置４０に対して非接触ＩＣカード通信調整板１の裏側に重ねられている場合に、外部読取装置４０と非接触ＩＣカード３０Ａとの間に通信が行われてしまうことを防止することができる。すなわち、裏読みによる読取りエラーを防止することができる。非接触ＩＣカード３０Ａを使用する場合、すなわち非接触ＩＣカード３０Ａを外部読取装置４０と対面するように向けたときに、非接触ＩＣカード３０Ａは電磁波に対する反応が強いので、外部読取装置４０と非接触ＩＣカード３０Ａとの間の通信は確実且つ正常に行われる。
【００６６】
さらに、磁性シート２０の形状は、電磁波に対する応答性の低い非接触ＩＣカード３０Ｂのアンテナコイル３３Ｂ全体に重なるので、非接触ＩＣカード３０Ｂはそのもてる最大の通信性能を発揮することができ、非接触ＩＣカード３０Ｂを使用するために非接触ＩＣカード３０Ｂを外部読取装置４０と対面するように向けたときに、外部読取装置４０と非接触ＩＣカード３０Ｂとの間で確実で正常な通信が行われる。
【００６７】
また、外部読取装置４０に対して非接触ＩＣカード通信調整板１の裏側に非接触ＩＣカード３０Ｂを重ね合わせた場合、非接触ＩＣカード３０Ｂ自体は電磁波に対する反応が弱いので、アンテナコイル３３Ｂ全体が磁性シート２０に重なっていても、外部読取装置４０と非接触ＩＣカード３０Ｂとの間には非接触ＩＣカード通信調整板１のシールドシート１０が存在しているので、裏読みが起こることが防止される。
【００６８】
次に、本発明に係る非接触ＩＣカード通信調整板１を収納して使用する非接触ＩＣカード収納具５０の形態について説明する。  
図８は、非接触ＩＣカード収納具５０を示す斜視図である。  
図示した非接触ＩＣカード収納具５０は、カードケースタイプのものである。この非接触ＩＣカード収納具５０は、非接触ＩＣカード３０を収納したままで非接触ＩＣカード３０と外部読取装置４０とを非接触で通信することができるようにしたものである。
【００６９】
この非接触ＩＣカード収納具５０は、断面が略矩形状のＩＣカード収納部５１が形成されている。収納部５１には、該内部を２つに仕切るように前記した実施の形態に係る非接触ＩＣカード通信調整板１が取り付けられている。
【００７０】
非接触ＩＣカード通信調整板１は、ＩＣカード収納部５１から脱落しないように、接着、溶着、縫付け、または取りだし口に滑り防止の凸形状やフタを設けて取り付けられている。
【００７１】
ＩＣカード収納部５１は、非接触ＩＣカード３０を収納したときに、非接触ＩＣカード３０と非接触ＩＣカード通信調整板１とが相対的に上下方向ないし左右方向にほとんどずれることなく重なるような大きさおよび形状に形成されている。
【００７２】
非接触ＩＣカード３０は、非接触ＩＣカード通信調整板１によって２つの部分に仕切られたＩＣカード収納部５１の何れの部分にも収容することができる。ＩＣカード収納部５１内に取り付けられたものが磁性シート２０を片面だけに配設した非接触ＩＣカード通信調整板１である場合には、２つに仕切られた部分の何れに非接触ＩＣカード３０を収納するかによって非接触ＩＣカード通信調整板１の作用効果が異なるので、適宜に判断して非接触ＩＣカード３０を収納すればよい。
【００７３】
なお、ＩＣカード収納部５１の内に取り付けられたものが磁性シート２０を片面だけに積層した非接触ＩＣカード通信調整板１である場合には、ＩＣカード収納部５１の内部を２つに仕切るのではなく、非接触ＩＣカード通信調整板１をＩＣカード収納部５１の内壁の一部に沿うように取り付けてもよい。
【００７４】
ＩＣカード収納部５１内に取り付けられたものが磁性シート２０を両面に積層した非接触ＩＣカード通信調整板１である場合には、２つに仕切られた部分の何れに非接触ＩＣカード３０を収納しても非接触ＩＣカード通信調整板１の作用効果は同じである。
【００７５】
以上のように構成された非接触ＩＣカード収納具５０は、ＩＣカード収納部５１に非接触ＩＣカード３０を収納したままで非接触ＩＣカード３０と外部読取装置４０との通信を可能にしたり、防止したりの調整をすることができる。
【００７６】
なお、図示した非接触ＩＣカード収納具５０は、断面が略矩形状のＩＣカード収納部５１を有するものであるが、カード状のベース部材に、空間的な遊びが殆どないポケットを備え、該ポケット内のベース部材側に非接触ＩＣカード通信調整板１を取り付けて、そのポケットに非接触ＩＣカード３０を差し込むようにしたものでもよい。
【００７７】
以上、本発明の実施の形態を図面によって説明してきたが、具体的な構成は前述した実施の形態に限られるものではなく、本発明の要旨を逸脱しない範囲における変更や追加があっても本発明に含まれる。例えば、本実施の形態においては、磁性シート２０は、図示したような四辺形のような形状としたが、図７に例示したような形状でも良い。  
また、磁性シート２０は直線状の辺によって形成されているものを示したが曲線を含む形状のものであっても良い。
【産業上の利用可能性】
【００７８】
本発明に係る非接触ＩＣカード通信調整板の思想は、非接触ＩＣカードの情報を外部読取装置で読み取るような使用態様のものであれば、広く適用することができる。
【符号の説明】
【００７９】
１…非接触ＩＣカード通信調整板
１Ａ…非接触ＩＣカード通信調整板
１０…シールドシート
１１…長辺
１２…短辺
２０…磁性シート
２１…長辺部
２２…短辺部
３０…非接触ＩＣカード
３０Ａ…非接触ＩＣカード
３０Ｂ…非接触ＩＣカード
３１…本体
３２…ＩＣチップ
３３Ａ…アンテナコイル
３３Ｂ…アンテナコイル
４０…外部読取装置
５０…非接触ＩＣカード収納具
５１…ＩＣカード収納部
【図１】
0006482302.tif 000002
【図２】
0006482302.tif 000003
【図３】
0006482302.tif 000004
【図４】
0006482302.tif 000005
【図５】
0006482302.tif 000006
【図６】
0006482302.tif 000007
【図７】
0006482302.tif 000008
【図８】
0006482302.tif 000009